(57)【要約】【課題】簡易な機構により塵芥を上部に設けた受入部を通じて貯留槽に円滑に投入することができるとともに、故障も少ない塵芥投入装置を提供する。【解決手段】貯留槽２の上部に設けられた受入部２１を通じて貯留槽２に塵芥を投入する塵芥投入装置１であって、床面付近から受入部２１に亘って搬送路３が略垂直に立設され、搬送路３にはその下部に投入部５が設けられるとともに、上部に受入部２１に連通された排出口６が設けられ、さらに、搬送路３内には、投入部５から投入された塵芥を搬送路３内において上方に搬送して排出口６から排出する搬送手段が設けられている。搬送手段４は、略垂直方向に配置されたスクリュー４もしくはコンベヤ、または昇降自在に設けられた昇降プレートからなる。【選択図】  図１
2005104612.tif 000002
【特許請求の範囲】
【請求項１】
貯留槽の上部に設けられた受入部を通じて当該貯留槽に塵芥を投入する塵芥投入装置であって、
床面付近から上記受入部に亘って搬送路が略垂直に立設され、該搬送路にはその下部に投入部が設けられるとともに、上部に上記受入部に連通された排出口が設けられ、さらに、搬送路内には、投入部から投入された塵芥を当該搬送路内において上方に搬送して排出口から排出する搬送手段が設けられたことを特徴とする塵芥投入装置。
【請求項２】
前記搬送手段は、略垂直方向に配置されたスクリューもしくはコンベヤ、または昇降自在に設けられた昇降プレートからなることを特徴とする請求項１記載の塵芥投入装置。
【請求項３】
前記搬送路が左右一対設けられ、これら搬送路内に前記昇降プレートがそれぞれ昇降自在に設けられてなることを特徴とする請求項２記載の塵芥投入装置。
【発明の詳細な説明】
【技術分野】
【０００１】
本発明は、上部に設けられた受入部を通じて貯留槽に塵芥を投入する塵芥投入装置に関する。
【背景技術】
【０００２】
従来、この種の塵芥投入装置としては、ゴミ容器を地上からポストに沿って上方に持ち上げ、当該上方においてゴミ容器をその上部開口が貯留槽の受入部に臨むようにガイドによって反転させることにより、ゴミ容器内の塵芥を上部の受入部を通じて貯留槽に投入する装置が提供されている（例えば、特許文献１参照）。
【特許文献１】特開平６−２１９５０３号公報
【発明の開示】
【発明が解決しようとする課題】
【０００３】
しかしながら、上記従来のものでは、ゴミ容器を昇降させる昇降機構や反転させる反転機構が複雑になり、大掛りなものになるとともに、故障の要因になる可能性が高くなるという問題があった。
【０００４】
本発明は、上記問題点に鑑みてなされたもので、その目的とするところは、簡易な機構により塵芥を上部に設けた受入部を通じて貯留槽に円滑に投入することができるとともに、故障も少ない塵芥投入装置を提供することにある。
【課題を解決するための手段】
【０００５】
上記の目的を達成するため、請求項１に係る発明の塵芥投入装置は、貯留槽の上部に設けられた受入部を通じて当該貯留槽に塵芥を投入する塵芥投入装置であって、床面付近から上記受入部に亘って搬送路が略垂直に立設され、該搬送路にはその下部に投入部が設けられるとともに、上部に上記受入部に連通された排出口が設けられ、さらに、搬送路内には、投入部から投入された塵芥を当該搬送路内において上方に搬送して排出口から排出する搬送手段が設けられたものである。
【０００６】
請求項２に係る発明の塵芥投入装置は、前記搬送手段が略垂直方向に配置されたスクリューもしくはコンベヤ、または昇降自在に設けられた昇降プレートからなる。
【０００７】
請求項３に係る発明の塵芥投入装置は、前記搬送路が左右一対設けられ、これら搬送路内に前記昇降プレートがそれぞれ昇降自在に設けられてなる。
【発明の効果】
【０００８】
本発明によれば、投入部を通じて搬送路の下部に投入された塵芥を搬送手段により上方に搬送し、搬送路上部の排出口から受入部を通じて貯留槽に投入することで、簡易な機構によって塵芥を上部に設けた受入部を通じて貯留槽に円滑に投入することができる。
【発明を実施するための最良の形態】
【０００９】
以下、本発明の実施の形態について図面を参照して説明する。
【００１０】
図１は、本発明の塵芥投入装置を示している。
【００１１】
塵芥投入装置１は、上部に設けられた受入部としての受入ホッパ２１を通じて貯留槽２に塵芥を投入するためのものである。
【００１２】
上記貯留槽２としては、例えば図示例のようにドラムが水平軸回りに回転自在に設けられており、塵芥投入装置１によって一端部上方に設けた受入ホッパ２１に投入した塵芥をシュート（図示省略）を通じてドラム内に導入し、このドラムの回転動作により内部に設けたブレードの作用で受入ホッパ２１と反対側の排出口側に搬送して圧縮しながら貯留し、貯留した塵芥を排出口から適宜に排出するようにしている。
【００１３】
ところで、塵芥投入装置１は、上記貯留槽２の一端部外方に当該一端部に沿って略垂直に立設された搬送路３と、この搬送路３内に設けられた搬送手段としてのスクリュー４とを備えている。
【００１４】
搬送路３は、その下部に投入部５が連設されるとともに、上部に貯留槽２の受入ホッパ２１と連通する排出口６が設けられている。
【００１５】
投入部５は、塵芥投入装置１の前方に配置された隔壁Ａの下部に設けられており、当該隔壁Ａに形成された投入口５１が開閉蓋５２により開閉自在に設けられるとともに、投入口５１がシュート５３を介して前記搬送路３の底部に連通され、開閉蓋５２の開放により塵芥を投入口５１、シュート５３を通じて搬送路３の底部に投入するようになされている。
【００１６】
スクリュー４は、前記投入部５から搬送路３の底部に投入された塵芥を上方の排出口６まで搬送するためのもので、駆動モータ４１の回転駆動によるスクリュー部４ａの回転作用により搬送路３内において塵芥を上部の排出口６に搬送する。
【００１７】
上記スクリュー部４ａの上端は、前記排出口６の下端部分までしか形成されておらず、ここから上方には掻き出し板４ｃが軸部４ｂに一体的に設けられている。従って、この掻き出し板４ｃもスクリュー４の回転に伴って垂直軸（軸部４ｂ）回り回転し、この掻き出し板４ｃの回転によりスクリュー部４ａによって上方に搬送されて来た塵芥を排出口６から排出して受入ホッパ２１に投入するようにしている。
【００１８】
次に、このように構成された塵芥投入装置１による貯留槽２への塵芥の投入動作について説明する。
【００１９】
まず、隔壁Ａの前方において開閉蓋５２を開放して投入口５１に塵芥を投入し、シュート５３を通じて当該塵芥を搬送路３の底部に投入する。
【００２０】
このように塵芥を搬送路３の底部に投入すると、駆動モータ４１を回転駆動させてスクリュー４を回転作動させることで当該スクリュー４の回転作用により塵芥を上方に搬送する。そして、塵芥が排出口６に臨む搬送路３の上部まで達すると、スクリュー４の回転と共に回転する掻き出し板４ｃによって搬送路３内から排出口６側に掻き出すことで、当該塵芥が受入ホッパ２１を通じて貯留槽２に投入される。
【００２１】
なお、スクリュー４は、例えば開閉蓋５２の開閉動作などに連動して間欠的に作動させるようにしてもよいし、スイッチ操作により所定時間作動させるようにしてもよく、さらに必要に応じては連続的に作動させるようにしてもよい。
【００２２】
このように搬送路３に投入した塵芥をスクリュー４により上方に搬送して掻き出し板４ｃによって貯留槽２に投入することで、簡易な機構により塵芥を円滑に貯留槽２に順次投入することができる。つまり、掻き出し板４ｃがなくスクリュー４のスクリュー部４ａが搬送路３の上下全体に設けられている場合、このスクリュー４により搬送路３の上部において塵芥が過度に圧縮されて円滑に排出口６に向かって排出されない状況が生じる場合があるが、これを掻き出し板４ｃを設けて塵芥の排出方向を変換することで回避している。
【００２３】
また、投入部５を通じて塵芥を搬送路３の底部に投入するため、投入部５の塵芥投入位置を極力低くすることができ、これにより塵芥の投入が容易になりバリアフリーにも対応することができる。
【００２４】
さらに、隔壁Ａにより塵芥投入装置１を外部と区画していることで、外部環境を損なうことなく塵芥を安全に貯留槽２に投入することができる。
【００２５】
図２は、本発明の塵芥投入装置の他の構成を示している。なお、前述した塵芥投入装置１と同様な部材には同符号を付して説明は省略する。
【００２６】
この塵芥投入装置１は、搬送手段としてのコンベヤ７を搬送路３内に設けたものである。
【００２７】
コンベヤ７は、図示しない駆動手段により循環駆動するベルト７１に所定の間隔を隔てて複数のプレート７２が設けられており、このプレート７２がベルト７１と共に循環することで、投入部５から投入した塵芥を搬送路３上部の排出口６まで搬送するようになされている。
【００２８】
このプレート７２は、排出口側循環部において受入ホッパ２１の底面に対応して先端が下方に傾斜した状態で移動するように配設されており、この傾斜により搬送路３の上部に搬送した塵芥を当該搬送路３内から排出口６を通じて受入ホッパ２１に円滑に投入するようにしている。また、搬送路３もコンベヤ７の循環駆動に対応した形状になされている。
【００２９】
このように搬送路３に投入した塵芥をコンベヤ７の各プレート７２により上方に搬送して貯留槽２に投入することによっても、簡易な機構により塵芥を円滑に貯留槽２に順次投入することができる。
【００３０】
なお、コンベヤ７の作動は、前述した塵芥投入装置１のスクリュー４の場合と同様に行えばよい。また、バリアフリーへの対応や隔壁Ａによる効果も前述した塵芥投入装置１と同様である。
【００３１】
図３及び図４は、本発明の塵芥投入装置のさらに他の構成を示している。なお、前述した塵芥投入装置１と同様な部材には同符号を付して説明は省略する。
【００３２】
この塵芥投入装置１は、搬送手段としての昇降プレート８を搬送路３内に設けたものである。
【００３３】
昇降プレート８は、横断面矩形状の搬送路３内を駆動手段８１により昇降自在に設けられており、投入部５からその上面８ａ上に塵芥が投入され、この状態で搬送路３内を上昇することによって当該塵芥を搬送路３上部の排出口６まで搬送するようになされている。
【００３４】
この昇降プレート８は、その横断面が搬送路３に対応して矩形状に形成されて当該搬送路３内を摺動可能に設けられているとともに、上記上面８ａがシュート５３及び受入ホッパ２１の底面に対応した傾斜面になされている。このように上面８ａを傾斜面にすることで、搬送路３の上部に搬送した塵芥を当該搬送路３内から排出口６を通じて受入ホッパ２１に円滑に投入するようにしている。
【００３５】
また、駆動手段８１としては、例えばボールネジ８２を用いて昇降プレート８を昇降させるようにしている。具体的には、搬送路３の外側面にボールネジ８２が上下方向に配設されるとともに、該ボールネジ８２に螺入されたナット部分８３が搬送路３の側面を挿通して昇降プレート８に連結されている。
【００３６】
ボールネジ８２は、駆動モータ８４により正逆方向に回転自在に設けられており、このボールネジ８２の正逆方向の回転駆動により昇降プレート８を搬送路３内において昇降させるようにしている。
【００３７】
これにより搬送路３の側面には、昇降プレート８に連結されたナット部分８３の昇降を許容する長孔が形成されるが、この長孔から塵芥が外部に漏れ出さないように適宜にシールを施す必要がある。また、昇降プレート８を搬送路３内において円滑に昇降させるために昇降プレート８と搬送路３との間に摺動パッドなどを介装してもよい。
【００３８】
なお、駆動手段８１はこれに限らず、シリンダなど適宜なアクチュエータにより構成してもよい。
【００３９】
そして、この塵芥投入装置１は図４に示すように２台を併設するのが好ましい。このように２台を併設するのは、塵芥投入装置１が１台だけの場合には、塵芥を投入して昇降プレート８が昇降動作している間は投入部５からの塵芥の投入を禁止する必要があり、前述した各塵芥投入装置１のような連続投入ができなくなるからである。なお、昇降プレート８が昇降動作しているときに投入部５からの塵芥の投入を禁止するのは、昇降プレート８が昇降動作している時に塵芥を投入すると、当該塵芥が昇降プレート８よりも下方の搬送路３の底面に投入されてしまい、これによって昇降プレート８が塵芥の投入を受ける適正位置に配置できない場合や昇降プレート８の昇降などに支障をきたすからである。
【００４０】
従って、塵芥投入装置１を２台併設し、一方の塵芥投入装置１の昇降プレート８が昇降しているときにはこの塵芥投入装置１の投入部５からの投入を阻止しておき、他方の塵芥投入装置１への塵芥の投入を可能にしておくことで、塵芥の連続投入を可能にしている。
【００４１】
このように搬送路３に投入した塵芥を昇降プレート８の上昇動作により上方に搬送して貯留槽２に投入することによっても、簡易な機構により塵芥を円滑に貯留槽２に順次投入することができる。
【００４２】
なお、昇降プレートの作動は、前述したスクリュー４及びコンベヤ７の場合と同様に行えばよい。また、バリアフリーへの対応や隔壁Ａによる効果も前述した塵芥投入装置１と同様である。
【００４３】
なお、上述した実施形態は、あくまでも本発明の好適な実施態様を示すものであって、本発明はこれに限定されることなく、その範囲内において種々設計変更可能である。
【００４４】
例えば、昇降プレート８を備えた塵芥投入装置１を２台併設したものについて述べたが、連続投入を行わない場合には１台の塵芥投入装置１を設置すればよい。
【００４５】
また、塵芥投入装置１によって塵芥を投入する貯留槽２は、回転自在なドラムに限らず、塵芥投入装置１によって上部の受入部から塵芥を内部に投入するものであれば何でもよい。
【図面の簡単な説明】
【００４６】
【図１】本発明の塵芥投入装置の構成を示す側面図である。
【図２】本発明の塵芥投入装置の他の構成を示す側面図である。
【図３】本発明の塵芥投入装置のさらに他の構成を示す側面図である。
【図４】同じく塵芥投入装置の構成を示す正面図である。
【符号の説明】
【００４７】
１  塵芥投入装置
２  貯留槽
２１  受入ホッパ（受入部）
３  搬送路
４  スクリュー（搬送手段）
５  投入部
６  排出口
７  コンベヤ（搬送手段）
８  昇降プレート（搬送手段）
【図１】
2005104612.tif 000003
【図２】
2005104612.tif 000004
【図３】
2005104612.tif 000005
【図４】
2005104612.tif 000006